(57)【要約】【課題】ホッパー内にて圧密にされた廃棄物を掻き揚げて均し、密度むらなく燃焼装置等の次工程に安定供給することのできる廃棄物の定量供給装置を提供する。【解決手段】ホッパー１の下部に設けた送出口４に向けてスクリューコンベア２等の送出し機構により廃棄物を横方向に移送して次工程に送り出す廃棄物の定量供給装置において、前記送出口４の上方でホッパー１の壁面手前には、送出し機構の押圧により圧密にされた廃棄物を上方に掻き揚げるためのほぐし装置５を配設する。なお、ほぐし装置５として、廃棄物の掻き揚げ板５３が多数枚立設されたベルトコンベア５２、チェーンコンベア５５などの無端回動コンベアを用いる。【選択図】    図１
2004270986.tif 000002
【特許請求の範囲】
【請求項１】
ホッパーの下部に設けた送出口に向けて送出し機構により廃棄物を横方向に移送して送り出す廃棄物の定量供給装置において、前記送出口の上方でホッパーの壁面手前には、送出し機構の押圧により圧密にされた廃棄物を上方に掻き揚げるためのほぐし装置を配設したことを特徴とする廃棄物の定量供給装置。
【請求項２】
ほぐし装置は、廃棄物の掻き揚げ板が多数枚立設された無端回動コンベアである請求項１に記載の廃棄物の定量供給装置。
【請求項３】
無端回動コンベアはチェーンコンベアであって、掻き揚げ板及びチェーンの裏側には廃棄物の侵入防止板を設けた請求項２に記載の廃棄物の定量供給装置。
【請求項４】
無端回動コンベアはエプロンコンベアもしくは桟付ベルトコンベアである請求項２に記載の廃棄物の定量供給装置。
【請求項５】
送出し機構はスクリューコンベアであって、スクリューのピッチが廃棄物送出し側にかけて徐々に広げられている請求項１〜３の何れかに記載の廃棄物の定量供給装置。
【請求項６】
送出し機構はベルトコンベア又はチェーンコンベア又はエプロンコンベアである請求項１〜３の何れかに記載の廃棄物の定量供給装置。
【請求項７】
ほぐし装置と送出し機構との間隔が可変であって、送出される廃棄物の厚みを調整することにより供給量の調整が可能である請求項５または請求項６に記載の廃棄物の定量供給装置。
【請求項８】
送出し機構の下方に該送出し機構から零れ落ちた廃棄物を搬送するための補助コンベアを配設した請求項６又は７に記載の廃棄物の定量供給装置。
【発明の詳細な説明】
【０００１】
【発明の属する技術分野】本発明は、都市ゴミなどの廃棄物を燃焼装置等の次工程に供給するための廃棄物の定量供給装置に関するものである。
【０００２】
【従来の技術】都市ゴミなどの可燃性のある廃棄物は、例えば特開２００１−２８０６２５号公報に示されているように、ホッパーの下部に２軸などのスクリューコンベアを備えた廃棄物の定量供給装置に投入されて、この供給装置から燃焼装置等の次工程に定量供給されて処分される。このようなスクリューコンベアを用いて燃焼装置等に供給される廃棄物は予め所定の大きさ以下に破砕されているが、廃棄物量が増大するとスクリューコンベアにより廃棄物が押圧されて圧密にされる。その結果、図５に示すように、ホッパー１下部の廃棄物送出口４の上方でホッパー１の壁面手前には、廃棄物の厚密部１０が形成されてブリッジなどの棚吊り現象を引き起こす。このような棚吊りが発生するとスクリューコンベア２は所定量の廃棄物を安定的に送出することができない。また、棚が崩れて一気に落下すると燃焼装置においては廃棄物の供給量が瞬間的に過剰となって、燃焼装置において通常採用されている空気供給量コントロールによる燃焼制御では対応しきれなくなる。その結果、廃棄物は燃焼不良となって大気中に黒煙や一酸化炭素などの有害ガスを排出してしまうこととなる。
【０００３】
【特許文献１】特開２００１−２８０６２５号公報
【０００４】
【発明が解決しようとする課題】本発明は上記した従来の問題点を解決し、ホッパー内で圧密にされた廃棄物を掻き揚げて均質にして次工程に供給することのできる廃棄物の定量供給装置を提供するためになされたものである。
【０００５】
【課題を解決するための手段】上記の課題を解決するためになされた本発明の廃棄物の定量供給装置は、ホッパーの下部に設けた送出口に向けて送出し機構により廃棄物を横方向に移送して送り出す廃棄物の定量供給装置において、前記送出口の上方でホッパーの壁面手前には、送出し機構の押圧により圧密にされた廃棄物を上方に掻き揚げるためのほぐし装置を配設したことを特徴とするものである。なお、ほぐし装置は、廃棄物の掻き揚げ板が多数枚立設された無端回動コンベアとすることができ、また、無端回動コンベアはチェーンコンベアであって、掻き揚げ板及びチェーンの裏側には廃棄物の侵入防止板を設けることができる。無端回動コンベアはエプロンコンベアもしくは桟付ベルトコンベアとすることができる。また、送出し機構はスクリューコンベアであって、スクリューのピッチが廃棄物送出し側にかけて徐々に広げられたものとすることができる。また、送出し機構はベルトコンベア又はチェーンコンベア又はエプロンコンベアとすることができ、ほぐし装置と送出し機構との間隔が可変であって、送出される廃棄物の厚みを調整することにより供給量の調整を可能とすることができるし、送出し機構の下方に該送出し機構から零れ落ちた廃棄物を搬送するための補助コンベアを配設することができる。
また、搬送量の調整は、送り出し機構の速度を可変にすることにより調整することもできる。
【０００６】
【発明の実施の形態】以下に図面を参照しつつ本発明の好ましい実施形態を説明する。図１は本発明の第１の実施形態である廃棄物の定量供給装置を示す図であって、１はホッパー、２は送出し機構であるスクリューコンベアであって、ホッパー１の下部の１側には廃棄物の送出口４を有しており、この送出口４は燃焼装置等の次工程への供給口３に連通している。スクリューコンベア２はホッパー内に投入された廃棄物を横方向に搬送して送出口４から送出する。送出口４の上方でホッパー１の壁面手前には、スクリューコンベア２により廃棄物が集積、押圧された圧密部１０が形成されるので、この圧密部１０を上方に掻き揚げて均すためのほぐし装置５が縦方向に配設されている。
【０００７】ほぐし装置５は、図２に示すように無端回動コンベア（図ではベルトコンベア５２）に廃棄物の掻き揚げ板（桟）５３が多数枚立設されたものであって、上下の回転軸５１を回動する。ここで、ベルトコンベア５２は、下側の軸５１がスクリューコンベア２の廃棄物送出し方向と逆になるように回転されるので、ほぐし装置５は側壁に付着した廃棄物を掻き落とすとともに、掻き落とした圧密部１０を上方に掻き揚げて均す。したがって、廃棄物の密度を均質化することができるので、廃棄物を次工程に安定して定量供給することができる。なお、スクリューコンベア２のスクリュー２３のピッチを基端側２１から先端２２側の廃棄物送り出し方向にかけてスクリュー２３のピッチが徐々に拡げられて廃棄物の圧密度が増大しないように構成されている。
【０００８】また、ほぐし装置５を、図３に示すようなチェーンコンベア５５に掻き揚げ板５３が立設されたものとすることができ、このチェーンコンベア５５の裏側にゴム板或いはエプロンなどの廃棄物の侵入防止板５４を配設することにより、廃棄物がチェーンコンベア５５の内部に入り込むのを阻止することができるので、メンテナンスの回数を最小限に抑えることができる。また、ほぐし装置５を図６に示すようなエプロンコンベア５６とすることもできる。
【０００９】第２の実施形態である廃棄物の定量供給装置を図４に示す。この実施形態においては、送出し機構として回転軸６１を回動する無端回動式のコンベア６が配設されており、廃棄物を基端６２側から先端６３側に運搬する。送出し機構としては、通常のベルトコンベアを用いることができるほか、桟付きベルトコンベア、エプロンコンベア、スラットコンベアなどを適宜用いることができる。そして、コンベア６の上方には既記したものと同じほぐし装置５が配設されている。ここで、回転軸５１又は回転軸６１は上下に移動可能としてあって、ほぐし装置５の下端とコンベア６との間隔を可変としてある。したがって、この間隔を調整することによって搬送される廃棄物の厚みを調整することができるので、廃棄物の切り出し量や供給量を燃焼装置等の処分効率に応じて適宜調整することができる。また、コンベア６を駆動するモーターの回転数を適宜調整することによっても、コンベヤ６の搬送速度を調整して廃棄物の切り出し量や供給量を所望の量に制御することができる。また、本装置の後段に計量装置を設け、その情報を搬送速度にフィードバックすることにより、安定した供給が可能である。
【００１０】さらに、図４に示した廃棄物の定量供給装置においては、コンベア６の下部空間７には補助搬送機構８が配設されており、コンベア６から零れ落ちた廃棄物を運搬して排出口９から次工程に送り出す。図示の補助搬送機構８はスクリューコンベアであるが、ベルトコンベアやチェーンコンベアなど適宜の形式のものを用いることができる。なお、スクリューコンベアを用いた場合には廃棄物の搬出を円滑ならしめるために、廃棄物の搬送路内における充填率は１０％以下に留めるのが望ましい。
【００１１】
【発明の効果】以上に説明したように、本発明の廃棄物の定量供給装置は、廃棄物送出口の上方でホッパーの壁面手前に、送出し機構の押圧により圧密にされた廃棄物を上方に掻き揚げて均すためのほぐし装置を配設したので、廃棄物を次工程に安定して定量供給することができて、廃棄物が不完全燃焼するなどの不具合の生ずることがない。ほぐし装置として、廃棄物の掻き揚げ板が多数枚立設された無端回動コンベアを用いることによって圧密状態の廃棄物を効果的に掻き揚げて均質化することができる。したがって、本発明は廃棄物を均質にして次工程に供給することができる廃棄物の定量供給装置として、工業的価値極めて大なものである。
【図面の簡単な説明】
【図１】第１の実施形態である廃棄物の定量供給装置を示す要部断面図である。
【図２】ベルトコンベア型のほぐし装置の斜視図である。
【図３】チェーンコンベア型のほぐし装置の斜視図である。
【図４】第２の実施形態である廃棄物の定量供給装置を示す要部断面図である。
【図５】従来の廃棄物の定量供給装置の概略を示す断面図である。
【図６】エプロンコンベア型のほぐし装置の一部を示す斜視図である。
【符号の説明】
１  ホッパー、２  スクリューコンベア、３  廃棄物の供給口、４  廃棄物の送出口、５  ほぐし装置、５２  ベルトコンベア、５３  廃棄物の掻き揚げ板、５５  チェーンコンベア、５６  エプロンコンベア
【図１】
2004270986.tif 000003
【図２】
2004270986.tif 000004
【図３】
2004270986.tif 000005
【図４】
2004270986.tif 000006
【図５】
2004270986.tif 000007
【図６】
2004270986.tif 000008